(57)【要約】【課題】従来の電子部品の乾燥庫の乾燥剤の加熱再生は、一定の間隔で加熱再生していたので、使用頻度の低い場合には、乾燥剤の吸着能力が十分に残っているにも関わらず、加熱するので、非経済であるという欠点があった。【解決手段】本発明の低湿庫用乾燥装置は、低湿庫キャビネット内に連通されるドライユニット内に設けた乾燥剤と、上記乾燥剤を加熱再生する加熱手段と、上記乾燥剤の温度を検知する温度センサーと、上記ドライユニットをキャビネット内からキャビネット外に切り換え連通せしめる切り換え手段と、上記加熱手段により上記乾燥剤を所定の加熱条件で加熱する制御手段とよりなり、上記制御手段は、上記温度センサーより測定した乾燥剤の温度値によって、上記乾燥剤の加熱再生の加熱条件を変更させて、上記加熱手段により上記乾燥剤を加熱再生することを特徴とする。【選択図】図８
2014210241.tif 000002
【特許請求の範囲】
【請求項１】
低湿庫キャビネット内に連通されるドライユニット内に設けた乾燥剤と、
上記乾燥剤を加熱再生する加熱手段と、
上記乾燥剤の温度を検知する温度センサーと、
上記ドライユニットをキャビネット内からキャビネット外に切り換え連通せしめる切り換え手段と、
上記加熱手段により上記乾燥剤を所定の加熱条件で加熱する制御手段とよりなり、
上記制御手段は、上記温度センサーより測定した乾燥剤の温度値によって、上記乾燥剤の加熱再生の加熱条件を変更させて、上記加熱手段により上記乾燥剤を加熱再生することを特徴とする低湿庫用乾燥装置。
【請求項２】
上記変更される加熱条件は、乾燥剤の加熱再生間隔、加熱時間又は加熱電力の少なくとも一つであり、
上記制御手段は、上記温度センサーにより測定した乾燥剤の温度値が、予め上記制御手段に記憶させた所定値と判断した場合は、予め上記制御手段に記憶させた通常運転モード用の再生間隔、加熱時間、及び加熱電力の加熱条件で上記加熱手段により上記乾燥剤を加熱再生し、
上記温度センサーにより測定した乾燥剤の温度値が、上記所定値と異なると判断した場合は、上記通常運転モード用の再生間隔、加熱時間、又は加熱電力の加熱条件の少なくとも一つを、対応する予め上記制御手段に記憶させた省エネ運転モード用又はその他の運転モード用の再生間隔、加熱時間、加熱電力の加熱条件に変更させて、その他の加熱条件は通常運転用モードの加熱条件で、上記加熱手段により上記乾燥剤を加熱再生することを特徴とする請求項１記載の低湿庫用乾燥装置。
【請求項３】
上記制御手段は、上記温度センサーにより測定した加熱再生終了時の乾燥剤の温度値が、上記所定値よりも高いと判断した場合には、
次に上記乾燥剤を加熱再生する再生間隔を、上記通常運転モード用の再生間隔よりも長い、省エネ運転モード用の再生間隔に変更して、上記加熱手段により上記乾燥剤を加熱再生することを特徴とする請求項２記載の低湿庫用乾燥装置。
【請求項４】
上記制御手段は、上記温度センサーにより測定した加熱再生終了時の乾燥剤の温度値が、上記所定値よりも高いと判断した場合には、
次に上記乾燥剤を加熱再生する加熱時間を、上記通常運転モード用の加熱時間よりも短い、省エネ運転モード用の加熱時間に変更して、上記加熱手段により上記乾燥剤を加熱再生することを特徴とする請求項２又は３記載の低湿庫用乾燥装置。
【請求項５】
上記制御手段は、上記温度センサーにより測定した加熱再生中の乾燥剤の温度値が、上記所定値よりも高いと判断した場合には、上記乾燥剤の加熱を停止することを特徴とする請求項２、３又は４記載の低湿庫用乾燥装置。
【請求項６】
上記制御手段は、上記温度センサーにより測定した加熱再生中の乾燥剤の温度値が、上記所定値よりも異なると判断した場合には、
上記加熱電力を増減させて、所定の加熱時間終了時に、上記所望値になるよう制御することを特徴とする請求項２、３、４又は５記載の低湿庫用乾燥装置。
【請求項７】
上記加熱手段は、左右に離間して配置した２枚の板本体にそれぞれ発熱線を巻き付け、この各発熱線を直列でつなぎ、上記２枚の板本体を２枚の挟持板で挟んで固定して形成すると共に、上記温度センサーは、上記板本体の間に相当する位置に設けたことを特徴とする請求項１、２、３、４、５又は６記載の低湿庫用乾燥装置。
【発明の詳細な説明】
【技術分野】
【０００１】
本発明は低湿庫用乾燥装置、特に、ＩＣパッケージなどの電子部品を低湿度（例えば、約５％ＲＨ以下）で保管する低湿庫用乾燥装置に関するものである。
【背景技術】
【０００２】
マイコン等を搭載した制御基板等の製作では、まずはプリント基板上に表面実装したＩＣパッケージを約２７０℃の熱を約４分間加えてハンダ付けを行う。この際、ＩＣパッケージに水分を含んでいると、加えた熱によってＩＣパッケージ内の水分が瞬時に膨張し内部回路を破壊してしまう場合がある。
【０００３】
これを防ぐために、ＩＣパッケージは大気中の水分を吸着しないように、例えば、アルミ製の防湿袋に新しいシリカゲルと一緒に密封して工場から出荷される。そして、この防湿袋から取り出した後のＩＣパッケージの管理基準も細かく規定されている。
【０００４】
例えば、米国の協同電子機器技術委員会による基準ＩＰＣ／ＪＥＤＥＣ  Ｊ−ＳＴＤ−０３３によると、防湿袋から取り出したＩＣパッケージは実装するまでの許容時間が製品レベルごとに決められており、短い時間のものから２４時間、４８時間、７２時間・・・等となっており、この時間内に実装するように決められている。
【０００５】
また、上記許容時間内に実装できないＩＣパッケージであっても、湿度５％ＲＨまたは１０％ＲＨ以下の低湿庫で管理すれば、防湿袋内で保管されているものと認められている。
【０００６】
本発明は、このような低湿庫に関するもので、図１４及び図１５は、従来の一般的なＩＣパッケージなどの電子部品の保管用の低湿庫を示し、１は、スチール製の低湿庫キャビネット、２は、上記キャビネット１の前面に設けた２〜６個のスチール製の扉、３は、上記扉２に設けた、上記キャビネット１内部が見えるようにするための透明ガラス窓であり、上記キャビネット１と上記扉２との密着面はマグネットパッキンにより密閉度を保つようにしている。
【０００７】
また、４は、上記キャビネット１内に設けた、湿度を下げるためのドライユニット、５は、上記ガラス窓３の内側に設けた、上記キャビネット１内の湿度を管理するための湿度計、６は、上記キャビネット１内に設けた、ＩＣパッケージを保管するための保管棚である。
【０００８】
また、図１６は、上記ドライユニット４の詳細を示し、４ａは、外側ケース、４ｂは、内側ケース、７は、この内側ケース４ｂ内に配置した乾燥剤ケース、８は、この乾燥剤ケース７内に充填された、水分を吸着するためのゼオライトなどの乾燥剤、９は、この乾燥剤８内に埋設したヒーターなどの乾燥剤加熱手段、１０は、この乾燥剤加熱手段９の制御手段、１１、１２は、それぞれ上記キャビネット１内と上記内側ケース４ｂ内を連通するため上記外側ケース４ａと上記内側ケース４ｂの上下に形成した庫内側開口、１３、１４は、それぞれキャビネット１外と上記内側ケース４ｂ内を連通するよう上記キャビネット１と内側ケース４ｂの上下に形成した庫外側開口、１５は、上記内側ケース４ｂの上下の開口１２、１４を交互に開閉できるようその一端を回動自在に枢支したシャッター、１６は、上記ドライユニット４内の低湿度空気をキャビネット１内に放出し、空気を上記キャビネット１内と上記ドライユニット４内を循環させる循環ファンである。
【０００９】
また、図１７は、上記シャッター１５を駆動する駆動手段１７を示し、１８は、上記各シャッター１５の基部をそれぞれ枢支する枢支部、１９は、上記枢支部１８にその中央部が枢支されると共に、上記シャッター１５の基部に固定された棒状部材、２０は、上記上下の棒状部材１９の一端側を連結したバイアスバネ、２１は、上記上下の棒状部材１９の他端側を連結した形状記憶合金コイル、２２は、上記形状記憶合金コイル２１に通電する通電手段を示す。
【００１０】
そして、上記形状記憶合金コイル２１に通電しない場合には、上記棒状部材１９を介して、上記バイアスコイル２０により引っ張られて上記形状記憶合金コイル２１が伸長して、上記シャッター１５が上記内側ケース４ｂの庫外側開口１４を閉じる。また、上記形状記憶合金コイル２１が上記通電手段２２により通電している場合には、上記バイアスコイル２０に抗して上記形状記憶合金コイル２１が縮小して、上記内側ケース４ｂの庫内側開口１２を閉じるようになる。
【００１１】
上記低湿庫は上記のような構成であるから、まず、上記乾燥剤８が所望の乾燥能力が発揮できるように、上記乾燥剤８を加熱再生する場合には、上記乾燥剤８内の水分をキャビネット１外に放出するため、上記駆動手段１７によって上記シャッター１５を駆動し、上記庫内側開口１２を閉じ、庫外側開口１４を開くと共に、乾燥剤８を乾燥剤加熱手段９によって、例えば、３０分間加熱し、上記乾燥剤８の水分をキャビネット１外に放出せしめる。
【００１２】
そして、上記乾燥剤８が所望の乾燥能力を得た場合には、上記キャビネット１内を乾燥するために、上記駆動手段１７によって上記シャッター１５を駆動し、内側ケース４ｂの庫外側開口１４を閉じ、内側ケース４ｂの庫内側開口１２を開き、上記循環ファン１６を駆動して、キャビネット１内の水分を乾燥剤８によって吸着されるようにする。
【００１３】
そして、上記低湿庫内にＩＣパッケージを出し入れするため、上記扉を開閉するたびに、湿度の高い外気が上記低湿庫内に侵入し、低湿庫内の湿度は上昇するが、所望の乾燥能力を有する乾燥剤８により、扉を閉めると湿度は下がり始め、一定期間後に５％ＲＨ又は１０％ＲＨ以下になる。
【００１４】
なお、上記ゼオライトなどの乾燥剤は吸着できる限界があり、仮に再生が行われなかった場合、吸着した水分量が多くなるにつれ、到達最低湿度は高くなり（１％ＲＨが２％ＲＨ，３％ＲＨ，４％ＲＨと上がっていく）、その到達最低湿度までの時間も長くなる。ＩＣパッケージの保管に関して、ＩＰＣ／ＪＥＤＥＣ  Ｊ−ＳＴＤ−０３３では、一定時間以内に基準湿度以下に到達することが防湿保管庫に対して要求されるため、ゼオライトなどの乾燥剤の能力もこの要求を満たすように維持する必要がある。
【００１５】
そのため、低湿庫においては、一定条件のもとにおけるゼオライトなどの乾燥剤に対する負荷を考慮し、一定条件の再生サイクル（再生間隔、加熱時間、加熱電力）にて、再生を行う。
【００１６】
そして、一般的な使用現場で、例えば、低湿庫が１２００リットルの容量で約１５００ｇのゼオライトが使用される場合、例えば、３０分に１回３０秒間扉を開閉すると想定され、この開閉を１２回行っても低湿庫内の湿度を１％ＲＨまで下げることができることから、このゼオライトを再生する一定間隔は、６時間ごとと設計される。
【００１７】
また、例えば、ゼオライトなどの乾燥剤の加熱再生は、高温であればあるほど、吸着能力を上げることができるが、１５０℃以上になると、温度の変化に対する吸着限界水分量の差が小さくなり、加熱の電力に対するゼオライトの回復割合が著しく悪くなる。従って、加熱再生の温度は、１６０℃以上に加熱してもあまりメリットがないこと、また、回復した吸着能力も十分であることから、通常、１６０℃という設計値が設定されている。
【００１８】
また、上記約１５００ｇのゼオライトにおいては、約３５０Ｗのヒーターを用いれば、約３０分間で、ゼオライト温度を１６０℃にすることができるので、再生加熱時間は例えば、３０分と設計される。
【００１９】
このような従来の低湿庫としては、特許文献１に記載のものがある。
【先行技術文献】
【特許文献】
【００２０】
【特許文献１】特開２００２−２５３９９２３号公報
【発明の概要】
【発明が解決しようとする課題】
【００２１】
上述したように、従来の乾燥庫においては、一般的な使用現場を想定した乾燥剤の加熱再生間隔、加熱時間、加熱電力などの加熱条件で設計されて、実際の使用状況を考慮せずに、上記加熱条件で加熱再生されるが、作業現場によって扉の開閉が１日に４〜５回と少ない現場がある。このような扉開閉頻度の少ない現場で、上記の条件で、例えば、設計通りに、６時間に１回３０分（１２回扉を開閉想定の再生間隔）で再生するとゼオライト温度が約１８０℃となりオーバー再生になってエネルギーの無駄遣いである。
【００２２】
また、夏と冬の気候条件により大気中の水分量は大幅に変わる為、同じ扉開閉頻度においても、再生終了時のゼオライト温度は変動する。例えば、冬の外気条件１５℃３０％ＲＨ（水分量３．８４ｇ／ｍ3）と夏の外気条件３０℃５０％ＲＨ（水分量１５．１５ｇ／ｍ3）では同じ扉開閉回数においても夏の方が約４倍の水分量がある。この冬の状況下で、例えば、３０分に１回３０秒間の扉開閉を、６時間に合計１２回行った後に、１回３０分再生するとゼオライト温度が約１８０℃となりオーバー再生になってエネルギーの無駄遣いとなってしまう。一般的に再生時のゼオライト温度は、夏場が１６０℃程度であるのに対し、冬場が１８０℃程度と高い傾向がある。
【００２３】
以上より、従来の乾燥庫のゼオライトの再生条件（例えば、６時間に１回３０分、３５０Ｗでゼオライト温度を１６０℃に到達させる）は、一定条件（例えば、３０℃５０％ＲＨにおいての１回３０秒、合計１２回の扉の開閉）の下に、１％ＲＨまで到達できるように決められた設計値であり、これ以上の温度に到達する場合には、扉の開閉回数、雰囲気の湿度が少ない場合であり、ゼオライトの吸着能力が十分に残っている場合となる。
【００２４】
このように乾燥剤の吸着能力が十分に残っているにも関わらず、加熱再生を行うのは、非経済である。
【００２５】
本発明は、乾燥剤の加熱再生終了時における到達温度と、乾燥剤の再生能力とに相関関係があることに注目し、上記乾燥剤の加熱再生終了時の温度を検知することにより、乾燥剤の再生能力を判断して、乾燥剤の加熱再生間隔、加熱時間、加熱電力などの加熱条件を調整し、乾燥剤の再生能力を維持しつつ、乾燥剤を必要以上に加熱再生しないようにすることにより、エネルギーの節約を目指すものである。
【課題を解決するための手段】
【００２６】
本発明の低湿庫用乾燥装置は、低湿庫キャビネット内に連通されるドライユニット内に設けた乾燥剤と、上記乾燥剤を加熱再生する加熱手段と、上記乾燥剤の温度を検知する温度センサーと、上記ドライユニットをキャビネット内からキャビネット外に切り換え連通せしめる切り換え手段と、上記加熱手段により上記乾燥剤を所定の加熱条件で加熱する制御手段とよりなり、上記制御手段は、上記温度センサーより測定した乾燥剤の温度値によって、上記乾燥剤の加熱再生の加熱条件を変更させて、上記加熱手段により上記乾燥剤を加熱再生することを特徴とする。
【００２７】
また、上記変更される加熱条件は、乾燥剤の加熱再生間隔、加熱時間又は加熱電力の少なくとも一つであり、上記制御手段は、上記温度センサーにより測定した乾燥剤の温度値が、予め上記制御手段に記憶させた所定値と判断した場合は、予め上記制御手段に記憶させた通常運転モード用の再生間隔、加熱時間、及び加熱電力の加熱条件で上記加熱手段により上記乾燥剤を加熱再生し、上記温度センサーにより測定した乾燥剤の温度値が、上記所定値と異なると判断した場合は、上記通常運転モード用の再生間隔、加熱時間、又は加熱電力の加熱条件の少なくとも一つを、対応する予め上記制御手段に記憶させた省エネ運転モード用又はその他の運転モード用の再生間隔、加熱時間、加熱電力の加熱条件に変更させて、その他の加熱条件は通常運転用モードの加熱条件で、上記加熱手段により上記乾燥剤を加熱再生することを特徴とする。
【００２８】
また、上記制御手段は、上記温度センサーにより測定した加熱再生終了時の乾燥剤の温度値が、上記所定値よりも高いと判断した場合には、次に上記乾燥剤を加熱再生する再生間隔を、上記通常運転モード用の再生間隔よりも長い、省エネ運転モード用の再生間隔に変更して、上記加熱手段により上記乾燥剤を加熱再生することを特徴とする。
【００２９】
また、上記制御手段は、上記温度センサーにより測定した加熱再生終了時の乾燥剤の温度値が、上記所定値よりも高いと判断した場合には、次に上記乾燥剤を加熱再生する加熱時間を、上記通常運転モード用の加熱時間よりも短い、省エネ運転モード用の加熱時間に変更して、上記加熱手段により上記乾燥剤を加熱再生することを特徴とする。
【００３０】
また、上記制御手段は、上記温度センサーにより測定した加熱再生中の乾燥剤の温度値が、上記所定値よりも高いと判断した場合には、上記乾燥剤の加熱を停止することを特徴とする。
【００３１】
また、上記制御手段は、上記温度センサーにより測定した加熱再生中の乾燥剤の温度値が、上記所定値よりも異なると判断した場合には、上記加熱電力を増減させて、所定の加熱時間終了時に、上記所望値になるよう制御することを特徴とする。
【００３２】
また、上記加熱手段は、左右に離間して配置した２枚の板本体にそれぞれ発熱線を巻き付け、この各発熱線を直列でつなぎ、上記２枚の板本体を２枚の挟持板で挟んで固定して形成すると共に、上記温度センサーは、上記板本体の間に相当する位置に設けたことを特徴とする。
【発明の効果】
【００３３】
本発明の低湿庫用乾燥装置によれば、ゼオライトなどの乾燥剤の性能を維持しつつ、エネルギーを節約することができるようになるという大きな利益がある。
【００３４】
また、乾燥剤の到達温度を従来よりも正確に検知できるようになる。
【図面の簡単な説明】
【００３５】
【図１】本発明の低湿庫用乾燥装置の縦断正面図である。
【図２】本発明の低湿庫用乾燥装置の乾燥剤ケースの横断平面図である。
【図３】本発明の低湿庫用乾燥装置の乾燥剤ケースの一部縦断正面図である。
【図４】本発明の低湿庫用乾燥装置のヒーターの説明用正面図である。
【図５】本発明の低湿庫用乾燥装置のヒーターの説明用平面図である。
【図６】本発明の低湿庫用乾燥装置のヒーターの説明用正面図である。
【図７】本発明の低湿庫用乾燥装置の加熱手段の説明図である。
【図８】本発明の低湿庫用乾燥装置の第１の制御方法の説明図である。
【図９】本発明の低湿庫用乾燥装置の第１の制御方法の他の実施例の説明図である。
【図１０】本発明の低湿庫用乾燥装置の第１の制御方法の他の実施例の説明図である。
【図１１】本発明の低湿庫用乾燥装置の第２の制御方法の説明図である。
【図１２】本発明の低湿庫用乾燥装置の第３の制御方法の説明図である。
【図１３】本発明の低湿庫用乾燥装置の第４の制御方法の説明図である。
【図１４】従来の低湿庫の正面図である。
【図１５】従来の低湿庫の側面図である。
【図１６】従来の低湿庫の低湿庫用乾燥装置の縦断正面図である。
【図１７】従来の低湿庫の低湿庫用乾燥装置のシャッターの駆動手段の説明図である。
【発明を実施するための形態】
【００３６】
以下図面によって本発明の実施例を説明する。
【実施例１】
【００３７】
本発明の低湿庫用乾燥装置は、図１に示すように、例えば、容量１２００リットルのスチール製の低湿庫キャビネット１内に配置する、縦横５００ｍｍ×５００ｍｍ、厚さ８０ｍｍのドライユニット２３からなり、このドライユニット２３は、合計約１５００ｇの乾燥剤８を充填した、２つの乾燥剤ケース２４、２４と、上記ドライユニット２３を上記キャビネット１内とキャビネット１外のいずれかに切り換え連通せしめる切り換え手段２５と、上記乾燥剤８に埋設され、上記乾燥剤８を加熱再生する乾燥剤加熱手段２６と、上記ドライユニット２３に設けた温度センサー２７と、上記乾燥剤加熱手段２６を所定の加熱再生間隔、加熱時間、加熱電力などの所定の加熱条件により制御すると共に、後述する切り換え手段２５を制御する制御手段２８とよりなる。
【００３８】
なお、１６は、従来と同様、上記ドライユニット２３内の低湿度空気をキャビネット１内に放出し、空気を上記キャビネット１内と上記ドライユニット２３内を循環させる循環ファンである
【００３９】
上記乾燥剤ケース２４は、図２及び図３に示すように、例えば、縦横２２０ｍｍ×２００ｍｍ、厚さ２０ｍｍの箱状に形成された筐体であって、その全面に、例えば、直径３ｍｍの貫通孔２９を多数設け、開口比を３０％以上としたものであって、この乾燥剤ケース２４内にゼオライトなどの乾燥剤８が充填され、また、この乾燥剤８内に上記乾燥剤加熱手段２６を埋設している。
【００４０】
また、上記切り換え手段２５は、従来と同様の構成で、図１に示すように、外側ケース４ａと、内側ケース４ｂと、上記キャビネット１内と上記内側ケース４ｂ内を連通するため上記外側ケース４ａと上記内側ケース４ｂの上下に形成した庫内側開口１１、１２と、上記キャビネット１外と上記内側ケース４ｂ内を連通するよう上記キャビネット１と内側ケース４ｂの上下に形成した庫外側開口１３、１４と、上記内側ケース４ｂの上下の開口１２、１４を交互に開閉できるようその一端を回動自在に枢支したシャッター１５とよりなる。また、上記シャッター１５を駆動する駆動手段は、図１７に示すように、上述した従来と同じ構造である。そして、上記切り換え手段２５の形状記憶合金コイルの通電は、上記制御手段２８により制御される。
【００４１】
上記乾燥剤加熱手段２６は、図４〜図６に示すように、左右に、例えば２０ｍｍ離間して配置した、上下方向に延びる、例えば、縦横７０ｍｍ×１５０ｍｍの矩形状のマイカ製の板本体３０、３０の２枚を左右に配置し、この２枚の板本体３０、３０にそれぞれニクロム線などの発熱線３１を下方が密になるように巻き付け、上記各板本体３０、３０に巻き付けられた発熱線３１を直列につなぎ、そして、この板本体３０、３０を、マイカ製の２枚の挟持板３２、３２で挟持し、この２枚の挟持板３２、３２を四隅で連結具３３により固定して形成する。なお、このように形成されたヒーターのヒーター容量は、乾燥剤の量によるが、例えば、約３００Ｗ〜３５０Ｗとする。
【００４２】
このヒーターの構造を上記のようにしたのは、下記の理由による。
【００４３】
即ち、通常のヒーターは、縦に設置した１枚の板本体にニクロム線が巻かれたものであって、このような従来のヒーターの場合、再生により加熱された空気は熱対流が発生し、熱い空気は乾燥剤ケースの上に向かって流れ、乾燥剤ケースの下の方には、新しい空気（低い温度）が引き込まれている。よって、乾燥剤ケースは再生加熱時には上昇気流により、上部は温度が上昇しやすく、下部は温度が上昇し難い構造になる。
【００４４】
また、乾燥剤ケースの中心部は、構造上、熱がこもりやすく温度が上昇しやすい傾向にある。従って、乾燥剤全体が設計到達温度である１６０℃程度に達する時には、例えば、中心部の温度は１８０℃以上となり、余分な加熱となってしまう。
【００４５】
また、ニクロム線ヒーターでは、巻き付けたニクロム線付近の温度はかなりの高温になるが、ニクロム線の間のニクロム線がない箇所においては、最大で約２０℃程度の温度差が生まれてくる。
【００４６】
乾燥剤の加熱再生は、乾燥剤全体の温度が均一に１６０℃になることが理想であるため、上記３つの問題を解決すべく、本願発明においては、板本体３０に巻き付けたニクロム線は、下部は上部に対して比較的密に巻き、再生加熱終了前５分程度には、乾燥剤ケースが均一な温度になるように工夫した。
【００４７】
そして、２枚の板本体３０、３０を用い、これを左右に離間して配置し、中心部を開けることにより、中心部分の余剰加熱を無くした。
【００４８】
さらに、この板本体３０、３０を２枚の挟持板３２、３２でサンドイッチ状に挟み込み、乾燥剤８に間接的に熱を伝えるようにすることで、より均一に加熱できるように工夫した。
【００４９】
また、上記温度センサー２７は、例えば、サーミスタよりなり、図１〜図３に示すように、上記乾燥剤ケース２４の外表面に、上から１／４程度下部分であって、上記２枚の板本体３０、３０の間（発熱線がない箇所）に相当する位置に固定金具３４により固定した。
【００５０】
即ち、ヒーターの左右方向の中心で、上から１／４の地点が、ニクロム線がなく、再生加熱終了前５分程度には全体的に到達した温度、すなわち、代表温度として検知できる部分ができ、この部分に、温度センサー２７を取り付けるようにした。
【００５１】
これにより、乾燥剤の到達温度を従来よりも正確に検知できることができ、より正確に乾燥剤の再生状態を把握することが可能になる。
【００５２】
また、上記制御手段２８は、図７に示すように、温度センサー２７の抵抗の変化を電圧の変化値として演算記憶処理装置３４に取り入れ、温度を演算し、この演算された温度値が所定値であると判断した場合には、通常運転モードとして、予め記憶設定された、低湿庫の扉の開閉頻度が一般的な使用であると想定した場合における再生間隔、加熱時間及び加熱電力などの加熱条件で上記加熱手段２６により上記乾燥剤を加熱再生する。
【００５３】
また、上記制御手段２８は、上記演算された温度値が、所定値以外と判断した場合には、省エネ運転モード（又はその他の運転モード）として、上記加熱手段により加熱再生する再生間隔、加熱時間、又は加熱電力などの加熱条件の少なくとも一つを、対応する予め記憶設定した、低湿庫の扉の開閉頻度が一般的な使用であると想定した場合における再生間隔、加熱時間、又は加熱電力などの加熱条件を異なる値に変更し、その他の加熱条件は、上記通常運転用の加熱条件で、上記加熱手段２６により上記乾燥剤を加熱再生するように制御する。
【００５４】
また、上記所定の温度値とは、乾燥剤の再生加熱時に、より乾燥した乾燥剤ほど、高温になることを利用して、例えば、加熱終了時の温度が１７０℃以下であり、上記制御手段２８は、加熱終了時の温度が１７０℃以下の場合には、通常運転モードであると判断し、加熱終了時の温度が１７０℃〜１８０℃の場合は、使用頻度の少ない現場である省エネ運転モード時Ａと判断し、加熱終了時の温度が１８０℃以上の場合は、更に使用頻度が少ない現場である省エネ運転モードＢと判断する。
【００５５】
また、上記予め設定された、低湿庫の扉の開閉頻度が一般的な使用であると想定した場合における再生間隔は、従来と同様に、３０分間に１回３０秒間扉を開閉したときに、低湿庫内の湿度を所望の値を保つことができる再生間隔が設定され、例えば、この通常運転モード時の再生間隔は６時間と設定される。そして、再生加熱時間は、例えば、３０分に設定し、再生加熱時の電力は、再生加熱時間３０分で乾燥剤温度が１６０℃に達する一定の電力、例えば、３５０Ｗに設定される。
【００５６】
そして、上記制御手段２８による乾燥剤加熱手段２６の第１の制御として、例えば、通常運転モード時の乾燥剤の加熱再生間隔と、省エネ運転モード時の乾燥剤の加熱再生間隔とを異なるように設定する。
【００５７】
即ち、図８に示すように、上記制御手段２８は、乾燥剤の加熱再生終了時の温度が１７０℃以下であると判断した場合には、通常運転モードと判断して、次の乾燥剤の加熱再生までの再生間隔を、例えば、６時間とし、上記加熱再生終了時から６時間後に加熱再生をするようにし、そして、この次の加熱再生の加熱時間を３０分、加熱電力を３５０Ｗとして、乾燥剤を加熱するが、上記制御手段２８は、乾燥剤の加熱再生終了時の温度が１７０℃〜１８０℃であると判断した場合には、使用頻度の少ない省エネ運転モード時Ａと判断して、次の乾燥剤の加熱再生までの再生間隔を上記通常運転モード時再生間隔よりも長い時間、例えば、１２時間とし、上記加熱再生時から１２時間後に加熱再生をするようする。なお、その他の加熱条件は、上記通常運転モード時と同じにし、この次の加熱再生の加熱時間を３０分、加熱電力を３５０Ｗとして、乾燥剤を加熱する。
【００５８】
また、上記制御手段２８は、乾燥剤の加熱再生終了時の温度が１８０℃以上であると判断した場合には、更に使用頻度の少ない省エネ運転モード時Ｂと判断して、次の乾燥剤の加熱再生までの再生間隔を上記通常運転モード時再生間隔よりも更に長い時間、例えば、１８時間とし、上記加熱終了時から１８時間後に加熱再生するようにする。なお、その他の加熱条件は、上記通常運転モードと同じにし、この次の加熱再生の加熱時間を３０分、加熱電力を３５０Ｗとして、乾燥剤を加熱する。
【００５９】
なお、省エネ運動モード時Ｂを設定せず、乾燥剤の温度が１７０℃以上の場合は、全て省エネ運動モード時Ａと設定してもよい。
【００６０】
また、上記制御手段２８は、加熱終了時の乾燥剤の温度が、例えば、１６０℃以下と判断した場合には、その他の運転モードとして、次の乾燥剤の加熱再生までの再生間隔を、通常運転モード時の再生間隔よりも短い再生間隔に設定するようにしてもよい。
【００６１】
なお、図９及び図１０は、上記制御手段２８による乾燥剤加熱手段２６の第１の制御の他の実施例であり、図９は、加熱再生時の乾燥剤の温度を測定した、再生加熱時間と温度を示す図であり、図１０は、加熱終了時の乾燥剤の温度に基づき、次の加熱再生の再生間隔を示す図である。この図９及び図１０に示すように、加熱終了時の乾燥剤の温度が（１６０−Ｔ）℃〜（１６０＋Ｔ）℃の範囲内となる曲線１の場合は、例えば、上記制御手段２８は通常運転モードと判断して、次の再生加熱のための再生間隔を６時間とする。また、加熱終了時の温度が（１６０＋Ｔ）℃よりも高い場合の曲線２の場合は、次の再生加熱のための再生間隔を、通常運転モードよりも長い（６＋α）時間とする。また、加熱終了時の温度が（１６０−Ｔ）℃よりも低い曲線３の場合は、次の再生加熱のための再生間隔を通常運転モードより短い（６−α）時間とする。なお、上記Ｔは任意に設定される温度であり、０℃以上の温度であり、Ｔを０℃と設定してもよい。
【００６２】
上記制御手段２８による第１の制御によれば、次の加熱再生のための再生間隔を長くとるので、エネルギーの節約を図ることができる。
【００６３】
また、上記制御手段２８による乾燥剤加熱手段２６の第２の制御としては、例えば、通常運転モード時のヒーターの加熱再生時間と、省エネ運転モード時のヒーターの加熱再生時間とを異なるように設定する。
【００６４】
即ち、上記制御手段２８は、乾燥剤の加熱再生終了時の温度が（１６０＋Ｔ）℃よりも低いと判断した場合には、上記制御手段２８は、通常運転モードと判断して、次の乾燥剤の再生加熱における加熱時間を３０分とし、上記加熱再生終了時から６時間後に、加熱電力を３５０Ｗで乾燥剤を加熱再生するが、上記制御手段２８は、乾燥剤の加熱再生終了時の温度が（１６０＋Ｔ）℃よりも高いと判断した場合には、使用頻度の少ない省エネ運転モード時と判断して、次の乾燥剤の加熱再生における加熱時間を、通常運転モード時の加熱再生時間よりも短い時間、例えば、２０分とし、上記加熱再生終了時から６時間後に加熱電力を３５０Ｗで乾燥剤を加熱再生するようにする。
【００６５】
なお、加熱再生終了時の温度が１６０℃よりも低いと判断した場合には、その他の運転モードと判断して、再生加熱時間を長くなるよう設定してもよい。
【００６６】
なお、図１１は、上記制御手段２８による乾燥剤加熱手段２６の第１の制御と第２の制御を組み合わせた例であり、省エネ運転モード時には、通常運転モード時に比べて、次の加熱再生までの再生間隔を長くし、また、この次の加熱再生する加熱時間を短くする。
【００６７】
上記制御手段２８による第２の制御によれば、次の加熱再生時の加熱時間を短くするので、余分な電力を使わず、エネルギーの節約を図ることができる。
【００６８】
また、上記制御手段２８による加熱手段２６の第３の制御としては、通常運転モード時の乾燥剤の加熱時間（又は加熱電力）と、省エネ運転モードの乾燥剤の加熱時間（又は加熱電力）とを異なるように設定する。
【００６９】
即ち、図１２に示すように、上記制御手段２８は、上記所望の温度を、例えば、（１６０＋Ｔ）℃に記憶設定し、乾燥剤を加熱再生中に、上記所望の温度よりも高くなったと判断した場合に、省エネ運転モードとして判断し、上記乾燥剤の加熱を終了するように設定する。
【００７０】
なお、乾燥剤の加熱終了時において、（１６０−Ｔ）℃よりも低い場合、その他の運動モードとして、加熱時間を延長するように設定してもよい。
【００７１】
上記制御手段２８による第３の制御によれば、必要以上の加熱を行わないので、余分な電力を使わず、エネルギーの節約を図ることができる。
【００７２】
また、上記制御手段２８による加熱手段２６の第４の制御としては、例えば、加熱再生中に、乾燥剤の温度を常時測定し、通常運転モード時の乾燥剤の加熱電力と、省エネ運転モードにおける乾燥剤の加熱電力とを異なるように設定する。
【００７３】
即ち、図１３に示すように、上記制御装置２８は、乾燥剤を加熱再生中、測定した乾燥剤の温度が、低湿庫の扉の開閉頻度が一般的な使用であると想定した場合における乾燥剤を加熱した場合の温度よりも高い場合と判断した場合には、省エネ運転モードと判断し、加熱電力を低下させて、予め記憶設定した加熱時間、例えば、３０分で、乾燥剤の温度が、例えば、１６０℃になるように設定する。
【００７４】
なお、このような制御として、例えば、ＰＩＤ制御がある。
【００７５】
上記制御手段２８による第４の制御によれば、余分な電力を使わず、エネルギーの節約を図ることができる。
【００７６】
なお、上記制御手段２８による加熱手段２６の第１の制御から第４の制御は、それぞれ独立に設定してもよく、また、組み合わせて設定するようにしてもよい。
【００７７】
次に具体的な運転方法を説明する。
【００７８】
まず、上記乾燥剤加熱手段２６の制御手段２８を、上記第１の制御から第４の制御手段をいずれかを、または複数組み合わせて設定し、低湿庫のドライユニット２３の乾燥剤加熱手段２６をＯＮにすると共に、シャッター１５を駆動する駆動手段１７の形状記憶合金コイル２１に通電し、ドライユニット２３内のシャッター１５を庫内側開口を閉、庫外側開口を開にする。これにより、ゼオライトなどの吸着剤８が加熱されて吸湿している水分をキャビネット外に放出する。
【００７９】
通電３０分後に上記乾燥剤加熱手段２６をＯＦＦにし、そして、ゼオライトなどの乾燥剤８から水分を放出しなくなる温度、例えば、８０℃まで待ち、例えば、２０分後に上記形状記憶合金コイル２１の通電をＯＦＦにし、上記ドライユニット２３内のシャッター１５をバイアスバネ２０により庫内側開口が開、庫外側開口が閉に切り替える。これにより、ドライユニット２３内のゼオライトなどの乾燥剤がキャビネット１内の水分の吸着を開始し、キャビネット１内の湿度を下げ始めると同時に、上記ドライユニット２３内の循環ファン１６をＯＮにしてドライユニット２３内の低湿度空気をキャビネット１内に放出すると共に、キャビネット１内の空気をドライユニット内に導入し、循環させる。
【００８０】
これにより、３０分〜６０分後にキャビネット内の湿度は約１％ＲＨまで低くなる。そして、扉を開放して、ＩＣパッケージ等の電子部品を庫内の保管棚に保管する。
【００８１】
電子部品の保管後、必要に応じてＩＣパッケージ等を取り出して使用する。その際、扉の開閉を３０秒、３０分に１〜２回開閉するとキャビネと１内の湿度は１０〜２０％ＲＨに上昇する。しかし、ゼオライトなどの乾燥剤８の吸着と循環ファン１６のキャビネット１とドライユニットとの空気の循環により、約１０分〜２０分後に庫内湿度は約５％ＲＨまで下がる。そして、上記乾燥剤加熱手段２６の制御手段２８の演算記憶処理装置３５の制御により、設定された通常運転モードで、例えば、６時間毎に３０分間、乾燥剤を加熱再生する。なお、循環ファン１６は、キャビネット内の水分を吸着しているときのみ運転し、乾燥剤を加熱再生中は循環ファン１６は停止している。
【００８２】
そして、加熱再生終了時又は加熱再生時における、上記乾燥剤の温度を測定し、この温度に基づき、上記制御手段２８により、次の加熱再生までの再生間隔や、乾燥剤の加熱時間、加熱電力などの加熱条件を通常運転モード或いは省エネ運転モードとして、乾燥剤を加熱再生するようにする。
【００８３】
本発明の低湿庫用乾燥装置によれば、乾燥剤の加熱再生終了時の温度が、乾燥剤の吸着能力の指標になり、この乾燥剤の加熱再生終了時の温度に基づき、乾燥剤の吸着能力を判断することができるので、ゼオライトなどの乾燥剤の性能を維持しつつ、エネルギーを節約することができるようになる。
【００８４】
また、乾燥剤の到達温度を従来よりも正確に検知できるようになる。
【符号の説明】
【００８５】
１    キャビネット
２    扉
３    ガラス窓
４    ドライユニット
４ａ  外側ケース
４ｂ  内側ケース
５    湿度計
６    保管棚
７    乾燥剤ケース
８    乾燥剤
９    乾燥剤加熱手段
１０  制御手段
１１  庫内側開口
１２  庫内側開口
１３  庫外側開口
１４  庫外側開口
１５  シャッター
１６  循環ファン
１７  駆動手段
１８  枢支部
１９  棒状部材
２０  バイアスバネ
２１  形状記憶合金コイル
２２  通電手段
２３  ドライユニット
２４  乾燥剤ケース
２５  切り換え手段
２６  乾燥剤加熱手段
２７  温度センサー
２８  制御手段
２９  孔
３０  板本体
３１  発熱線
３２  挟持板
３３  連結具
３４  固定金具
３５  演算記憶処理装置
【図１】
2014210241.tif 000003
【図２】
2014210241.tif 000004
【図３】
2014210241.tif 000005
【図４】
2014210241.tif 000006
【図５】
2014210241.tif 000007
【図６】
2014210241.tif 000008
【図７】
2014210241.tif 000009
【図８】
2014210241.tif 000010
【図９】
2014210241.tif 000011
【図１０】
2014210241.tif 000012
【図１１】
2014210241.tif 000013
【図１２】
2014210241.tif 000014
【図１３】
2014210241.tif 000015
【図１４】
2014210241.tif 000016
【図１５】
2014210241.tif 000017
【図１６】
2014210241.tif 000018
【図１７】
2014210241.tif 000019